(57)【要約】【課題】ドレンホース用の固定部材の取付作業性を向上させた空調室内機を提供する。【解決手段】空調室内機１では、ドレンパン６０の外表面を覆う断熱材９０に、断熱材９０の外表面からほぼ垂直に立ち上がった壁面を成す位置決め部９１が設けられている。位置決め部９１は、本体２０側の取付穴２０１と固定用部材８０の貫通穴８１１とが合う位置で、固定用部材８０の壁部８３と対峙する。据付作業者がドレンホース７０をドレンパン６０の接続口６０ａに接続する際、固定用部材８０がドレンホース７０の回りを周回しても、壁部８３が断熱材９０の位置決め部９１に当たって止まるので、据付作業者は貫通穴８１１と取付穴２０１との位置合わせをする手間が省ける。【選択図】図３
2011149616.tif 000002
【特許請求の範囲】
【請求項１】
ドレンホース（７０）が本体（２０）側に取り付けられる空調室内機であって、
前記ドレンホース（７０）の開口端（７０ａ）が接続される接続口（６０ａ）を有するドレンパン（６０）と、
前記ドレンパン（６０）に接続された前記ドレンホース（７０）を前記本体（２０）側に固定する固定用部材（８０）と
前記ドレンパン（６０）に装着される断熱材（９０）と、
を備え、
前記本体（２０）は、前記固定用部材（８０）をネジ止めするためのネジ（１００）が螺合する取付穴（２０１）を有し、
前記固定用部材（８０）は、前記ネジ（１００）を通すための貫通穴（８１１）を有し、
前記断熱材（９０）は、前記取付穴（２０１）と前記貫通穴（８１１）とが合う位置で前記固定用部材（８０）の一部と当たって前記固定用部材（８０）の動きを規制する位置決め部（９１）を有している、
空調室内機。
【請求項２】
前記ドレンホース（７０）は、前記開口端（７０ａ）の外周に沿って円環状に形成された溝（７０１）を有し、
前記固定用部材（８０）は、
前記貫通穴（８１１）を含む基部（８１）と、
前記溝（７０１）に挿入されることによって前記溝（７０１）に沿って周回可能に保持される連結部（８２）と、
前記断熱材（９０）の前記位置決め部（９１）に当たる壁部（８３）と、
を有している、
請求項１に記載の空調室内機。
【請求項３】
前記連結部（８２）は、Ｃ字状に形成されている、
請求項２に記載の空調室内機。
【請求項４】
前記壁部（８３）は、基部（８１）の一部が前記貫通穴（８１１）の貫通方向に折り曲げられることによって形成される、
請求項２に記載の空調室内機。
【請求項５】
前記固定用部材（８０）は板金部材であって、
前記基部（８１）と、前記連結部（８２）と、前記壁部（８３）とが一体成形される、
請求項２に記載の空調室内機。
【発明の詳細な説明】
【技術分野】
【０００１】
本発明は、空調室内機に関し、特に、ドレンホースが本体側に取り付けられる空調室内機に関する。
【背景技術】
【０００２】
従来、空調室内機に取り付けられるドレンホースの固定方法として、ドレンホースの開口端に固定具が取り付けられ、その固定具が空調室内機の本体側にネジ止めされる方法が広く採用されている。例えば、特許文献１（特開２００６−１４５０６３号公報）では、ドレンパン側にドレンコック（ドレンホースの接続口）の周囲を囲むようにドレン固定具がネジ止めされ、その後、ドレンホースの開口端がドレンコックに圧入され、次に、予めドレンホースに取り付けられているドレン金具がドレン固定具にネジ止めされる。
【発明の概要】
【発明が解決しようとする課題】
【０００３】
しかしながら、上記のような固定方法では、作業者はドレン固定具およびドレン金具それぞれのネジ穴を合わせた状態を保持しながらネジ止めしなければならず、作業性がよくない。
【０００４】
本発明の課題は、ドレンホース用の固定部材の取付作業性を向上させた空調室内機を提供することにある。
【課題を解決するための手段】
【０００５】
本発明の第１観点に係る空調室内機は、ドレンホースが本体側に取り付けられる空調室内機であって、ドレンパンと、固定用部材と、断熱材とを備えている。ドレンパンは、ドレンホースの開口端が接続される接続口を有している。固定用部材は、ドレンパンに接続されたドレンホースを本体側に固定する。断熱材は、ドレンパンに装着される。本体は、固定用部材をネジ止めするためのネジが螺合する取付穴を有している。固定用部材は、ネジを通すための貫通穴を有している。断熱材は、本体側の取付穴と固定用部材の貫通穴とが合う位置で固定用部材の一部と当たってその固定用部材の動きを規制する位置決め部を有している。
【０００６】
この空調室内機では、固定用部材が本体側の貫通穴と固定用部材の取付穴とが合った位置で位置決めされるので、作業者は固定用部材を保持する必要がなく、固定用部材の取付作業が容易になる。
【０００７】
本発明の第２観点に係る空調室内機は、第１観点に係る空調室内機であって、ドレンホースが溝を有している。その溝は、ドレンホースの開口端の外周に沿って円環状に形成されている。固定用部材は、貫通穴を含む基部と、連結部と、壁部とを有している。連結部は、溝に挿入されることによってその溝に沿って周回可能に保持される。壁部は、断熱材の位置決め部に当たる。
【０００８】
この空調室内機では、ドレンホースの開口端が捻られながらドレンパンの接続口に接続されたときでも、固定用部材がドレンホースの捻りに従って周回し、壁部が断熱材の位置決め部に当たって止まるので、作業者は本体側の取付穴と固定用部材の貫通穴との位置合わせをする手間が省け、ドレンホースをドレンパンに接続する作業に専念できる。その結果、作業性が向上する。
【０００９】
本発明の第３観点に係る空調室内機は、第２観点に係る空調室内機であって、連結部がＣ字状に形成されている。
【００１０】
この空調室内機では、作業者は、連結部をドレンホースの溝に取り付ける際、Ｃ字状の湾曲面をドレンホースの溝底面と対峙するように押し込むだけでよいので、ドレンホースと固定用部材との取付作業性が向上する。
【００１１】
本発明の第４観点に係る空調室内機は、第２観点に係る空調室内機であって、壁部が、基部の一部が貫通穴の貫通方向に折り曲げられることによって形成される。
【００１２】
断熱材は一般に発泡スチロールなどの強度の低い材料で成形されているので、固定用部材がネジ止めされる際に位置決め部が破損する可能性がある。しかし、この空調室内機では、壁部が形成されることによって位置決め部との接触面積が増大し、位置決め部に作用する応力が低減されるので、破損は防止される。
【００１３】
本発明の第５観点に係る空調室内機は、第２観点に係る空調室内機であって、固定用部材が板金部材である。基部と、連結部と、壁部とは一体成形されている。この空調室内機では、固定用部材の基部、連結部および壁部が一体成形されているので、部品点数の増加が抑制される。
【発明の効果】
【００１４】
本発明の第１観点に係る空調室内機では、固定用部材が本体側の貫通穴と固定用部材の取付穴とが合った位置で位置決めされるので、作業者は固定用部材を保持する必要がなく、固定用部材の取付作業が容易になる。
【００１５】
本発明の第２観点に係る空調室内機では、作業者は本体側の貫通穴と固定用部材の取付穴との位置合わせをする手間が省け、ドレンホースをドレンパンに接続する作業に専念できるので、作業性が向上する。
【００１６】
本発明の第３観点に係る空調室内機では、作業者は、連結部をドレンホースの溝に取り付ける際、Ｃ字状の湾曲面をドレンホースの溝底面と対峙するように押し込むだけでよいので、ドレンホースと固定用部材との取付作業性が向上する。
【００１７】
本発明の第４観点に係る空調室内機では、壁部が形成されることによって位置決め部との接触面積が増大し、位置決め部に作用する応力が低減されるので、破損が防止される。
【００１８】
本発明の第５観点に係る空調室内機では、固定用部材の基部、連結部および壁部が一体成形されているので、部品点数の増加が抑制される。
【図面の簡単な説明】
【００１９】
【図１】本発明の一実施形態に係る空調室内機の断面図。
【図２】ドレンパンのドレンホース接続口およびその周辺の断面図。
【図３】ドレンパンのドレンホース接続口およびその周辺の斜視図。
【図４】ドレンホースの正面図。
【図５】固定用部材の斜視図。
【発明を実施するための形態】
【００２０】
以下、図面を参照しながら、本発明の実施形態について説明する。なお、以下の実施形態は、本発明の具体例であって、本発明の技術的範囲を限定するものではない。
【００２１】
＜空調室内機の構成＞
図１は、本発明の一実施形態に係る空調室内機の断面図である。図１において、空調室内機１は壁掛けタイプであり、その本体２０には、ケーシング１０、フレーム１１、室内熱交換器１２、ファン１３、及びフィルタ２１が搭載されている。
【００２２】
ケーシング１０は、前面部１０１と上面部１０２と下面部１０３とによって立体空間を形成し、その立体空間内にフレーム１１、室内熱交換器１２、ファン１３、及びフィルタ２１が収まっている。
【００２３】
ケーシング１０の前面部１０１は前面パネル３１によって覆われている。この前面パネル３１は、運転時は斜め上方にスライドして吸込口の前面側と、吹出口の前面側とを開ける。
【００２４】
室内熱交換器１２及びファン１３は、フレーム１１に取り付けられている。室内熱交換器１２は、通過する空気との間で熱交換を行う。ファン１３は、室内から取り込んだ空気を、室内熱交換器１２に当てて通過させた後、室内に吹き出す。
【００２５】
ケーシング１０の下面部１０３には、吹出口１９が設けられており、吹出口１９から吹き出される空気を案内する水平フラップ（図示せず）が、吹出口１９に設けられる。水平フラップは、モータ１７１によって駆動し、空気の吹出方向を変更するだけでなく、吹出口１９の下側を開閉することもできる。
【００２６】
ケーシング１０の前面部１０１及び上面部１０２と、室内熱交換器１２との間にはフィルタ２１が配置されている。フィルタ２１は、室内熱交換器１２に向って流入してくる空気に含まれる塵埃を除去する。
【００２７】
室内熱交換器１２は、側面視において両端が下方に向いて屈曲する逆Ｖ字状の形状を成し、各端部はフレーム１１上に形成されたドレンパン６０と対峙している。ドレンパン６０は、主に室内熱交換器１２から滴下してくる結露水を一時的に受け、最終的にドレンホース７０が接続される接続口６０ａへ導く。
【００２８】
図２は、ドレンパンのドレンホース接続口およびその周辺の断面図である。また、図３は、ドレンパンのドレンホース接続口およびその周辺の斜視図である。また、図４は、ドレンホースの正面図である。
【００２９】
（ドレンパン６０）
図２、図３及び図４において、ドレンパン６０は、ドレンホース７０の開口端７０ａが接続される接続口６０ａを有している。通常、ドレンホース７０の内径は、接続口６０ａの外径より少し小さめに成形されているので、空調室内機１の据付作業者は、ドレンホース７０の開口端７０ａを接続口６０ａに挿入する際、開口端７０ａを持って捻りながら圧入する。
【００３０】
（ドレンホース７０）
図２及び図４に示すように、ドレンホース７０は、樹脂チューブ７１の外周が断熱チューブ７２に覆われた２層構造を成す。開口端７０ａは樹脂チューブ７１の開口端であり、外径に沿って外側へ広がるフランジ７１ａが形成されている。
【００３１】
ドレンホース７０は、ドレンパン６０の接続口６０ａに確実に圧入されていても、据付作業者がドレンホース７０を冷媒配管と共に引き回す際に抜け落ちる可能性がある。それゆえ、ドレンホース７０は、接続口６０ａに圧入された後に固定用部材８０を介して本体２０側に固定される。
【００３２】
図４に示すように、ドレンホース７０は、開口端７０ａ近傍に溝７０１を有している。溝７０１は、ドレンホース７０の開口端７０ａの外周に沿って円環状に形成されており、固定用部材８０が連結される。本実施形態では、溝７０１は、フランジ７１ａと断熱チューブ７２の端面との間に所定の隙間が設けられることによって形成される。したがって、溝７０１の内底面は、樹脂チューブ７１の外周の一部である。なお、溝７０１は、樹脂チューブ７１に直に形成されてもよい。
【００３３】
（固定用部材８０）
図５は、固定用部材の斜視図である。図５において、固定用部材８０は、基部８１と、連結部８２と、壁部８３とを有している。基部８１は、ネジ１００を通すための貫通穴８１１を含んでいる。連結部８２は、Ｃ字状に成形されており、据付作業者が連結部８２のＣ字状の湾曲面８２１をドレンホース７０の溝７０１の底面と対峙させるように押し込むだけで、溝７０１に挿入される。その結果、固定用部材８０が、溝７０１に沿って周回可能に保持される。壁部８３は、基部８１の一部が貫通穴８１１の貫通方向に折り曲げられることによって形成される。本実施形態では、固定用部材８０は板金部材であり、基部８１と、連結部８２と、壁部８３とはプレス加工によって一体成形されている。
【００３４】
図２に示すように、ドレンパン６０の接続口６０ａから所定距離だけ離れた位置にネジ１００が螺合する取付穴２０１が設けられている。接続口６０ａの中心軸と取付穴２０１の中心軸との最短距離は、ドレンホース７０に連結された固定用部材８０の貫通穴８１１の中心軸とドレンホース７０の中心軸との最短距離にほぼ等しい。その結果、固定用部材８０がドレンホース７０の溝７０１に沿って周回する軌道上に、取付穴２０１が位置するようになる。
【００３５】
（断熱材９０）
また、図２及び図３に示すように、ドレンパン６０の外表面は、断熱材９０で覆われている。断熱材９０は、ドレンパン６０の外表面が結露することを防止するために装着されている。断熱材９０には、接続口６０ａ周辺と取付穴２０１周辺と干渉しないように、接続口６０ａ周辺および取付穴２０１周辺と対応する位置に穴または切り欠きが設けられている。さらに断熱材９０には、位置決め部９１が設けられている。
【００３６】
位置決め部９１は、断熱材９０の外表面からほぼ垂直に立ち上がった壁面であり、取付穴２０１と貫通穴８１１とが合う位置で固定用部材８０の壁部８３と対峙する。その結果、据付作業者がドレンホース７０の開口端７０ａを捻りながらドレンパン６０の接続口６０ａに接続し、固定用部材８０がドレンホース７０の捻りに従って周回しても、壁部８３が断熱材９０の位置決め部９１に当たって止まるので、据付作業者は貫通穴８１１と取付穴２０１との位置合わせをする手間が省け、ドレンホース７０をドレンパン６０に接続する作業に専念することができる。
【００３７】
なお、固定用部材８０の壁部８３と断熱材９０の位置決め部９１とは面接触するので、位置決め部９１に作用する応力が低減される。そのため、断熱材９０が発泡スチロールなどの強度の低い材料で成形されている場合でも、位置決め部９１が破損することはない。
【００３８】
＜特徴＞
この空調室内機１では、ドレンパン６０の外表面を覆う断熱材９０に、断熱材９０の外表面からほぼ垂直に立ち上がった壁面を成す位置決め部９１が設けられている。位置決め部９１は、本体２０側の取付穴２０１と固定用部材８０の貫通穴８１１とが合う位置で、固定用部材８０の壁部８３と対峙する。
【００３９】
据付作業者がドレンホース７０をドレンパン６０の接続口６０ａに接続する際、固定用部材８０がドレンホース７０の回りを周回しても、壁部８３が断熱材９０の位置決め部９１に当たって止まるので、据付作業者は貫通穴８１１と取付穴２０１との位置合わせをする手間が省ける。
【００４０】
なお、断熱材９０に位置決め部９１が設けられることによって、作業性が向上するだけでなく、ドレンパン６０側に位置決め部を設ける必要がなくなり、ドレンパン６０及び断熱材９０の形状が簡素化する。仮に、ドレンパン６０側に位置決め部が設けられた場合、断熱材９０側に位置決め部との干渉を避けるために穴または切り欠きが設けられる必要が生じ、それによって成形金型の構造が複雑する。それゆえ、断熱材９０に位置決め部９１が設けられることによる効果は、絶大である。
【００４１】
＜その他の実施形態＞
上記実施形態では、固定用部材８０はプレス加工によって成形される板金部材であるが、それに限らず、切削部品、鍛造部品、焼結部品であってもよい。また、樹脂材料を用いた射出成形部品であってもよい。
【産業上の利用可能性】
【００４２】
以上のように、本発明によれば、ドレンホースの固定作業が容易になるので、壁掛けタイプの空調室内機に限らず、ドレンホースを固定することが求められる機器に有用である。
【符号の説明】
【００４３】
２０  本体
６０  ドレンパン
６０ａ  接続口
７０  ドレンホース
７０ａ  開口端
８０  固定用部材
８１  基部
８２  連結部
８３  壁部
９０  断熱材
９１  位置決め部
１００  ネジ
２０１  取付穴
７０１  溝
８１１  貫通穴
【先行技術文献】
【特許文献】
【００４４】
【特許文献１】特開２００６−１４５０６３号公報
【図１】
2011149616.tif 000003
【図２】
2011149616.tif 000004
【図３】
2011149616.tif 000005
【図４】
2011149616.tif 000006
【図５】
2011149616.tif 000007